(57)【要約】      （修正有）【課題】折畳むことにより収納スペースを大幅に節約できる折畳式踏み台椅子の提供。【解決手段】上方に回転可能に枢支する関節部材１３の下方両側に設けられる第１支持ロッド１１及び第２支持ロッド１２からなる左フレーム１０と、関節部材１３と組み合わせられる回転可能に枢支な関節部材２３の下方両側に設けられる第１支持ロッド２１及び第２支持ロッド２２からなる右フレーム２０と、第１支持ロッド１１と第１支持ロッド２１との間に設けられる回動軸３０と、第２支持ロッド１２と第２支持ロッド２２との間に回動軸３０と平行に設けられる位置決めロッド４０と、回動軸３０に枢設される枢設部５１と、凹部５２とを有する踏み板５０と、２つの端部を有するプレート体であって、一端が前記位置決めロッドに枢設されると共に、他端が前記踏み板の凹部と枢設部との間に枢設される少なくとも１つの連動プレート６０を有する構成とした。【選択図】図１
0003124710.tif 000002
【実用新案登録請求の範囲】
【請求項１】
上方に回転可能に枢支する関節部材を有し、該関節部材の下方両側に設けられる第１支持ロッド及び第２支持ロッドからなる左フレームと、
前記左フレームと所定の間隔をおいて平行に並設されると共に、上方に前記関節部材と組み合わされる回転可能に枢支する関節部材を有し、該関節部材の下方両側に設けられる第１支持ロッド及び第２支持ロッドからなる右フレームと、
前記左フレームの第１支持ロッドと右フレームの第１支持ロッドとの間に設けられる回動軸と、
前記左フレームの第２支持ロッドと右フレームの第２支持ロッドとの間に回動軸と平行に設けられる位置決めロッドと、
前記回動軸に枢設される枢設部と、位置決めロッドに設けられるため凹部とを有する踏み板と、
２つの端を有するプレート体であって、一端が前記位置決めロッドに枢設されると共に、他端が前記踏み板の凹部と枢設部との間に枢設される少なくとも１つの連動プレートと、を有することを特徴とする折畳式踏み台椅子。
【請求項２】
前記枢設部における回動軸の外側に、該回動軸の脱落を防止するための少なくとも１つの固定部材が取り付けられていることを特徴とする請求項１に記載の折畳式踏み台椅子。
【請求項３】
前記左フレームにおける第１支持ロッドと第２支持ロッドの端部及び右フレームにおける第１支持ロッドと第２支持ロッドの端部に夫々滑り止めキャップが取付けられていることを特徴とする請求項１に記載の折畳式踏み台椅子。
【考案の詳細な説明】
【技術分野】
【０００１】
本考案は、折畳式踏み台椅子に関するものである。
【背景技術】
【０００２】
一般に踏み台椅子は、例えば、図書館で本棚の高い位置にしまわれた書籍を取る時や、読み終わった書籍をしまう時などに使用すると共に、本を読む際には、椅子として利用することもできる。
【０００３】
また、家庭内、例えば台所、物置、風呂場などにおいても、高所の様々な物を取る時やしまう時によく用いられており、この踏み台椅子を利用すれば、物を安全に且つ容易に取り出す、或いはしまうことができる。
【考案の開示】
【考案が解決しようとする課題】
【０００４】
しかしながら、従来の踏み台椅子は、不使用時にかなり広い収容スペースを必要とするので、実用性、利便性に優れなかった。
【０００５】
そこで、案出されたのが本考案であって、不使用時に収容スペースを大幅に削減できる折畳み式踏み台椅子を提供することを目的としている。
【課題を解決するための手段】
【０００６】
本考案の請求項１は、上方に回転可能に枢支する関節部材を有し、該関節部材の下方両側に設けられる第１支持ロッド及び第２支持ロッドからなる左フレームと、前記左フレームと所定の間隔をおいて平行に並設されると共に、上方に前記関節部材と組み合わされる回転可能に枢支する関節部材を有し、該関節部材の下方両側に設けられる第１支持ロッド及び第２支持ロッドからなる右フレームと、前記左フレームの第１支持ロッドと右フレームの第１支持ロッドとの間に設けられる回動軸と、前記左フレームの第２支持ロッドと右フレームの第２支持ロッドとの間に回動軸と平行に設けられる位置決めロッドと、前記回動軸に枢設される枢設部と、位置決めロッドに設けられるため凹部とを有する踏み板と、２つの端を有するプレート体であって、一端が前記位置決めロッドに枢設されると共に、他端が前記踏み板の凹部と枢設部との間に枢設される少なくとも１つの連動プレートと有することを特徴とする。
【０００７】
本考案の請求項２は、請求項１に記載の折畳式踏み台椅子において、前記枢設部における回動軸の外側に、該回動軸の脱落を防止するための少なくとも１つの固定部材が取り付けられることを特徴とする。
【０００８】
本考案の請求項３は、請求項１に記載の折畳式踏み台椅子において、前記左フレームにおける第１支持ロッドと第２支持ロッドの端部及び右フレームにおける第１支持ロッドと第２支持ロッドの端部に夫々滑り止めキャップが取付けられていることを特徴とする。
【考案の効果】
【０００９】
本考案は上記の課題を解決するものであり、踏み板を、回動軸を支点として回動させながら収納すると同時に、左フレームと右フレームの第１支持ロッドと第２支持ロッドとを折畳むことによって、踏み台椅子の体積を縮小できるので、収納スペースを大幅に削減することができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１１】
図１は本考案に係る折畳式踏み台椅子の実施例を示す分解斜視図であり、図２は本考案に係る折畳式踏み台椅子の斜視図であり、図３は本考案に係る折畳式踏み台椅子の斜視図であり、図４は本考案に係る折畳式踏み台椅子の側面透視図であり、図５は本考案に係る折畳式踏み台椅子の展開状態を示す側面透視図であり、図６は本考案に係る折畳式踏み台椅子の折畳み状態を示す側面透視図である。
【００１２】
図１、図２及び図３に示すように、本考案に係る折畳式踏み台椅子は、回転可能に枢支する関節部材１３を有し、該関節部材１３の下方両側に設けられる第１支持ロッド１１及び第２支持ロッド１２を備える左フレーム１０と、前記左フレーム１０と所定の間隔をおいて平行に並置されると共に、上方に前記関節部材１３と組み合わされる回転可能に枢支する関節部材２３を有し、該関節部材２３の下方両側に設けられる第１支持ロッド２１及び第２支持ロッド２２を備える右フレーム２０からなる。
前記左フレーム１０の第１支持ロッド１１と右フレーム２０の第１支持ロッド２１との間には回動軸３０が設けられると共に、前記左フレーム１０の第２支持ロッド１２と右フレーム２０の第２支持ロッド２２との間に回動軸３０と平行に位置決めロッド４０が設けられている。
【００１３】
そして、第１長辺５３、第２長辺５４、及び２つの短辺５５，５６を有する略長方形を呈するプレート体であり、第１長辺５３の近傍の底面に、２つの固定部材７０が適当な間隔でねじにより螺合されることにより回動軸３０を枢設するための枢設部５１が形成され、該第１長辺５３における、２つの固定部材７０の間に窪み部５７が形成されると共に、第２長辺５４の近傍の底面に前記位置決めロッド４０を設けるための凹部５２が形成された踏み板５０とを備えている。
【００１４】
また、前記踏み台５０の両側には、それぞれ大形端部６１と小形端部６２を有する細長状のプレート状の連動プレート６０が配設されている。前記大形端部６１には、前記位置決めロッド４０を貫設するための貫設孔６１１が形成されており、前記小形端部６２には螺合孔６２１が形成されており、前記２つの連動プレート６０が螺合孔６２１により前記踏み板５０における２つの短辺５５、５６の凹部５２と枢設部５１との間に螺合されることによって、踏み板５０が枢支される。
【００１５】
更に、前記左フレーム１０の第１支持ロッド１１と第２支持ロード１２の端部及び右フレーム２０の第１支持ロッド２１と第２支持ロッド２２の端部に夫々滑り止めキャップ８０が取付けられている。
【００１６】
また、図４に示すように、本考案に係る折畳式踏み台椅子を使用するときは、踏み板５０を回動させながら、第２長辺５４を位置決めロッド４０の方向へ移動させて、踏み板５０の凹部５２を位置決めロッド４０に嵌め込み、それと同時に関節部材１３,２３により、左フレーム１０及び右フレーム２０における第１支持ロッド１１、２１を第２支持ロッド１２,２２から離間させるように開かせれば、本考案に係る折畳式踏み台椅子を展開させることができるので、踏み台或いは椅子として使用することができる。
【００１７】
一方、図５及び図６示すように収納する時は、回動軸３０を支点として踏み板５０を上方に回動させながら、関節部材１３,２３により、左フレーム１０と右フレーム２０の第１支持ロッド１１、２１と第２支持ロッド１２、２２とを引き寄せて折り畳めば、全体の収納体積を小さくできるので、壁や本棚の脇に立て掛けたり、或いは家具や部屋の隙間などに収納することができる。
【産業上の利用可能性】
【００１８】
本考案は上記の構成を有することから、簡単に展開、折畳みができるので、様々なスペースを効率的に活用することができる。
【図面の簡単な説明】
【００１９】
【図１】本考案に係る踏み台椅子の実施例を示す分解斜視図である。
【図２】本考案に係る踏み台椅子の斜視図である。
【図３】本考案に係る踏み台椅子の斜視図である。
【図４】本考案に係る踏み台椅子の側面図である。
【図５】本考案に係る踏み台椅子の展開状態を示す側面図である。
【図６】本考案に係る踏み台椅子の折畳み状態を示す側面図である。
【符号の説明】
【００２０】
１０        左フレーム
１１        第１支持ロッド
１２        第２支持ロッド
１３        関節部材
２０        右フレーム
２１        第１支持ロッド
２２        第２支持ロッド
２３        関節部材
３０        回動軸
４０        位置決めロッド
５０        踏み板
５１        枢設部
５２        凹部
５３        第１長辺
５４        第２長辺
５５        短辺
５６        短辺
５７        窪み部
６０        連動プレート
６１        大型端部
６１１      貫設孔
６２        小型端部
６２１      螺合孔
７０        固定部材
８０        滑り止めキャップ
【図１】
0003124710.tif 000003
【図２】
0003124710.tif 000004
【図３】
0003124710.tif 000005
【図４】
0003124710.tif 000006
【図５】
0003124710.tif 000007
【図６】
0003124710.tif 000008